(57)【特許請求の範囲】
【請求項１】
−少なくとも１つのイオン源（１）
−処置ビーム（１１）の形において前記イオン源（１）のイオンの加速用の加速器装置（２，５）、
−少なくとも１つのビーム誘導チャンネル（６）を含み、前記加速器装置（２，５）から患者の治療のために少なくとも１つの照射場所へ前記処置ビーム（１１）を誘導するビーム誘導システム（６，８）、および
−そのビーム方向に対して垂直の前記処置ビーム（１１）の垂直および水平方向用の垂直偏向手段（１３）および水平偏向手段（１４）を有している、前記ビーム誘導システム（６，８）に配置された、グリッドスキャナ装置からなり、その結果として前記処置ビーム（１１）が前記照射場所のアイソセンタ（１０）に対して前記グリッドスキャナ装置によって偏向されかつ一定の、アイソセンタを取り囲む表面域が走査され、そして
そのさい緊急遮断の点検が実施される、イオンビーム治療システムの緊急遮断点検方法において、
インターロックユニットの手動および自動の緊急遮断点検が、安全関連のすべての装置パラメータの自動監視によりかつ安全関連のすべての状態の指示により、技術的な治療制御室および重イオンビーム治療システムの全体システムの主制御室のコンソールにおいて実施され、
前記インターロックユニットは、操作時に、少なくとも以下の
−ビーム誘導の可動部分の端部スイッチの信号、
−グリッドスキャナ磁石の磁石装置の状態、
−イオン化チャンバーへの電圧供給、
−データ伝送中のデータオーバーフローデータ、
−強度限界値および個々のイオン化チャンバーの同期の遵守、
−ビーム位置測定装置ならびにビーム位置それ自体の電子特性、
−検出器の高電圧およびガス流、
−コンピュータプログラムの機能準備
−技術的治療制御室および主制御室におけるコンソール
を監視するとともに、
計算された放射線量の値がファントム（人体模型）の複数の測定点に関して点検され、その際、放射線量データの計算の十分な精度が、すべての測定点に関して、放射線量の計算値と測定値の間の平均の差異が±５％を超えるかどうか、
個々の測定点に関して、その測定点について、放射線量の計算値と測定値の間の差異が±７％を超えないかどうかを推測するようにしたことを特徴とするイオンビーム治療システムの緊急遮断点検方法。
【請求項２】
前記ビーム誘導のすべての可動部分の、偏向磁石から治療室への、真空部分、真空スライドおよびビーム診断要素の、外部取り付けのリミットスイッチからの信号が監視されかつテストケース（試験の場合）において点検するためにシミュレートされることを特徴とする請求項１に記載のイオンビーム治療システムの緊急遮断点検方法。
【請求項３】
パルス中心制御の状態が監視されかつ試験のためにテストケースにおいてシミュレートされることを特徴とする請求項１または２に記載のイオンビーム治療システムの緊急遮断点検方法。
【請求項４】
前記パルス中心の機能が監視されかつ点検のためにテストケースにおいてシミュレートされることを特徴とする請求項１ないし３のいずれか１項に記載のイオンビーム治療システムの緊急遮断点検方法。
【請求項５】
前記水平偏向手段の磁石装置の状態が監視されかつ点検のためにテストケースにおいてシミュレートされることを特徴とする請求項１ないし４のいずれか１項に記載のイオンビーム治療システムの緊急遮断点検方法。
【請求項６】
前記垂直偏向手段の前記磁石装置の状態が監視されかつ点検のためにテストケースにおいてシミュレートされることを特徴とする請求項１ないし５のいずれか１項に記載のイオンビーム治療システムの緊急遮断点検方法。
【請求項７】
予定／現在値および前記スキャナ磁石の照射点の連続切り換え作動が監視されかつ点検のためにテストケースにおいてシミュレートされることを特徴とする請求項１ないし６のいずれか１項に記載のイオンビーム治療システムの緊急遮断点検方法。
【請求項８】
電源に関連する全ての信号、アナログ測定変数からデジタル値への電子変換器の信号、データ伝送のオーバーフローにおける信号および強度過負荷に関する信号がイオン化チャンバーの強度測定エレクトロニクスによって監視されかつテストケースにおいて点検するためにシミュレートされることを特徴とする請求項１ないし７のいずれか１項に記載のイオンビーム治療システムの緊急遮断点検方法。
【請求項９】
前記コンソールによる照射の解除が監視されかつ点検のためにテストケースにおいてシミュレートされることを特徴とする請求項１ないし８のいずれか１項に記載のイオンビーム治療システムの緊急遮断点検方法。
【請求項１０】
インターロックまたは緊急遮断の各出所が個々にシミュレートされそして緊急遮断の解除、ならびにイオンビームの緊急遮断用信号がインターロックユニットによって発生されることを特徴とする請求項１ないし９のいずれか１項に記載のイオンビーム治療システムの緊急遮断点検方法。
【請求項１１】
前記インターロックユニットおよびその機能が毎日点検されそして緊急遮断の不足している解除が装置の本インターロック状況に際して患者の治療の解放を生じないことを特徴とする請求項１０に記載のイオンビーム治療システムの緊急遮断点検方法。
【請求項１２】
緊急遮断が人間の介入によって何時でも保証されることを特徴とする請求項１ないし１１に記載のイオンビーム治療システムの緊急遮断点検方法。
【請求項１３】
緊急遮断点検が患者により手動スイッチによってかつ患者の固定の開放により実施されることを特徴とする請求項１ないし１２のいずれか１項に記載のイオンビーム治療システムの緊急遮断点検方法。
【請求項１４】
手動の緊急遮断点検が前記コンソールにおいて実施されることを特徴とする請求項１ないし１３のいずれか１項に記載のイオンビーム治療システムの緊急遮断点検方法。
【請求項１５】
手動の緊急遮断点検が毎日実施されそして不完全な手動の緊急遮断に際して患者の治療の解放を生じないことを特徴とする請求項１ないし１４のいずれか１項に記載のイオンビーム治療システムの緊急遮断点検方法。
【請求項１６】
インターロックユニットの点検に関連してすべての警報条件の指示が点検されることを特徴とする請求項１０ないし１５のいずれか１項に記載のイオンビーム治療システムの緊急遮断点検方法。
【請求項１７】
各治療中断の前および制御システムまたはプログラムの各変更後に、すべての安全関連の状態の指示の点検が技術的な治療制御室のかつ主制御室のコンソールにおいて実施されることを特徴とする請求項１ないし１６のいずれか１項に記載のイオンビーム治療システムの緊急遮断点検方法。
【請求項１８】
安全関連の状態の指示の停止により患者の治療の解放が生じないことを特徴とする請求項１ないし１７のいずれか１項に記載のイオンビーム治療システムの緊急遮断点検方法。
【発明の詳細な説明】
【０００１】
【技術分野】
本発明は、とくに重イオンにより作動されるイオンビーム治療システムの緊急遮断点検方法に関する。
【０００２】
【発明の背景】
イオンビーム治療システムは好ましくは腫瘍の治療に使用される。それは、目標物体（ターゲット）の照射時、イオンビームのエネルギの主要部分がターゲットに転送され、一方、少量のエネルギのみが健康な組織へ転送されるという利点を有している。それゆえ、比較的高い照射線量が患者の治療のために使用されることができる。それに反して、レントゲン線（Ｘ線）は、それらのエネルギを、ターゲットおよび健康な組織に等しく転送し、その結果患者の保護のための、健康上の理由から、高い照射線量が利用されることができない。
【０００３】
アメリカ合衆国特許明細書第４，８７０，２８７号から、例えば、陽子源からその陽子ビームが発生され、その陽子が加速器装置を介して種々の治療または照射場所に供給され得るイオンビーム治療システムが知られている。各治療場所には、患者の寝台を有している回転架台が設けられその結果患者は種々の照射角度において陽子ビームで照射されることができる。患者が回転架台の内部の固定位置に空間的に置かれる一方、回転架台はこの回転架台のアイソセンタに置かれたターゲット上に種々の照射角度で処置ビームを焦点合わせするために患者の身体のまわりに回転している。加速器装置は線形加速器（リニアアクセレレータ、ＬＩＮＡＣ）およびいわゆるシンクロトロンリングの組み合わせを含んでいる。
【０００４】
１９９８年１月の、ＫＥＫ議事録９７−１７、陽子治療用のサイクロトロンビームの閉ループ制御（エッチ・エフ・ヴィーファイツェン等）において、陽子ビーム治療システムにおいて陽子ビームを安定化する方法が提案されており、そのさい処置ビームは長手方向に互いから間隔が置かれた２つの測定点において対応するビーム供給システムの中心線上に置かれるように能動的に制御される。第１の測定点は１対の偏向磁石の間に置かれそしてマルチワイヤイオン化チャンバーによって形成される。ビーム通路の中心点に対してそのマルチワイヤイオン化チャンバーから供給されたビーム位置の実際の値に依存して、ＰＩ制御が最初に述べた対の偏向磁石の前に配置されるさらに他の偏向磁石によって発生される。第２の測定点はアイソセンタの直ぐ前に置かれかつ４つの象限に分割されるイオン化チャンバーによって形成される。そのイオン化チャンバーの位置の実際の値に依存して、再びＰＩ制御信号が発生されるが、これらの制御信号は最初に述べた偏向磁石に向けられている。この制御の助けによってビーム供給システムの中心線に関する角度安定化および陽子ビームの横方向の位置の安定性の両方を可能にする。
【０００５】
しかしながら、重イオン照射の、すなわち、陽子より重いイオンによる照射の実施に際して、大きなかつ重い装置が必要であり、その結果として回転架台の使用を回避しかつ代わりに患者または患者の寝台を動かすような傾向がある。対応する治療システムは、例えば、１９９３年１０月１８〜２０日の、イタリア、コモでの、ハドロンセラピーについての第１回国際シンポジウムの議事録、ページ４３４、イー・ペドロニの「ビーム供給」において記載されている。これらのシステムにおいては、したがって、偏心的なシステムが取り扱われている。
【０００６】
しかしながら、主としてアイソセンタ的なシステムが癌（腫瘍）研究者によって好まれるので、重イオンビーム治療システムが提案され、そのさい回転架台は治療場所で使用されるが、回転架台の半径は、ターゲットの照射のために、ビームがまず回転軸線から離れて向けられかつ後でアイソセンタにおいて再び回転軸線を横切るように適宜な磁石および光学系装置によって誘導されているその回転軸線に沿って水平に各回転架台に供給される処置ビームによって減少されることができる。ターゲットの照射のために、その各々がビーム軸線に対して垂直な処置ビームを偏向する、垂直偏向手段および水平偏向手段からなるグリッドスキャナ（ラスタスキャナ）が設けられ、その結果としてターゲットを取り囲んでいる表面が処置ビームによって走査される。このシステムは、したがって、本質的に、回転架台の１平面においてのみビーム誘導を設けている。
【０００７】
グリッドスキャナによる照射は照射または治療されるべき患者に依存してイオンビーム治療システムの制御システムによって自動的に計算される照射線量データの助けによって行われる。
【０００８】
イオンビーム治療システムにおいて基本的に処置ビームに関して高い作動安全性および作動安定性が必要であるので、上述された重イオンビーム治療システムにおいてはグリッドスキャナによって供給された処置ビームの監視のために監視装置が設けられる。この監視装置は上述した磁石装置の最後の偏向磁石とアイソセンタとの間に配置され、かつ粒子流れを監視するためのイオン化チャンバーおよびビーム位置とビーム幅を監視するための多線室を含むことがてきる。
【０００９】
種々のＤＩＮ規格が医療電子加速器の作動に際して安全性の理由から種々のＤＩＮ規格を遵守すべきである。これらの規格は一方で、システムの、検査試験、すなわち、作動の容易さの検査、かつ他方で、不変性試験、すなわち、作動安定性の試験である。イオンビーム治療システム、とくに重イオンビーム治療システムに関して、このようにイオンビーム治療システムのためにとくに開発された安全性規格はまだ知られてない。また、しかしながら、イオンビーム治療システムにおいて、できるだけ大きな作動安全性および作動安定性による要求がそんざいしている。
【００１０】
【発明の開示】
本発明は、それゆえ、とくに緊急遮断に関連して、作動安全性および作動安定性を改善するために、イオンビーム治療システムの緊急遮断点検方法を提案することに基礎を置いている。
【００１１】
この課題は、本発明によれば、請求項１の特徴を有する方法によって解決される。従属の請求項は各々本発明の好適なかつ好都合な実施例を定義している。
【００１２】
本発明によれば、少なくとも１つのイオン源、加速器装置およびビーム誘導システムを有しているイオンビーム治療システムが作動され、そのさい緊急遮断のチェックが実施される。
【００１３】
そのために、手動および自動の緊急遮断の点検が、安全関連のすべての装置パラメータの自動監視によりかつ安全関連のすべての状態の指示により、技術的な治療制御室および前記イオンビーム治療システムの全体システムの主制御室のコンソールにおいて実施される。
【００１４】
イオンビーム治療システムのインターロックユニットのおよび緊急遮断の機能性の点検はより高い安全性の技術の重要性によっている。
【００１５】
そこで、例えば、すべての安全関連の装置パラメータがインターロックの場合またはインターロック条件の存在に際してシステムの緊急遮断の解放について点検されねばならない。処置ビームの遮断は、インターロックの場合が識別されるときのみ行われることができる。それゆえ、インターロックの蒸気用に導き得るすべての出所が試験において個々にシミュレートされねばならずそしてインターロックの解放、すなわち、処置ビームの緊急遮断に導いている信号の発生がインターロックユニットによって点検されねばならない。インターロックユニットは作動において、好ましくは、ビーム誘導の可動部分の端部スイッチの信号、グリッドスキャナ磁石の磁石装置の状態、データ伝送のデータオーバーフローの、電圧供給に関してイオン化チャンバー、強度限界値および個々のイオン化チャンバーの同期の遵守、ビーム位置測定装置ならびにビーム位置それ自体のエレクトロニクス、個々の検出器の高電圧およびガス流れ、シーケンス制御コンピュータによる可能なインターロック、患者の不動化の考え得る中断（例えば、照射場所でのマスクの開放に際してまたは患者の運動に際して）、すべてのコンピュータプログラムの機能準備および治療システムの医療コンソールによる照射の緊急遮断または解放等を監視する。インターロック状態の存在に際してインターロックの不十分な解放は治療システムにおいて介入されかつ欠陥が除去されねばならない。
【００１６】
同様に、手動の緊急遮断の機能性が、手動遮断が常に保証されねばならないので、医療用コンソールを介して点検されねばならない。
【００１７】
最後に、また、イオンビーム治療システムの個々のコンソール、とくに技術的な制御室および主制御室においてすべての安全関連の状態の指示の点検が必要とされる。これらの安全関連の状態の指示は迅速な欠陥検知および欠陥除去に役立ちそして瞬時の照射状態を介して操作者に情報を付与する。警報条件のこの指示はインターロックユニットの上述した試験とともに点検されることができる。不変性の点検のために、この試験は各照射の中断前にかつ制御システムまたはプログラムの変更後に実施されるべきである。
【００１８】
とくに、計算された放射線量の値がファントム（人体模型）の複数の測定点に関して点検するることが提案され、そのさい、放射線量データの計算の十分な精度が、すべての測定点に関して放射線量の計算されたおよび測定された値の間の平均の差異が予め定められた最初の許容値を超えないときかつ個々の測定点に関して、その測定点について計算されたおよび測定された放射線量間の差異が予め定められた第２の許容値を超えないとき推測される。そのさい第１の許容値は±５％そして第２の許容値は±７％である。
【００１９】
治療場所での幾何学的構造の正しい転送を点検しかつ位置決めのときまでイオンビーム治療システムの画像形成装置のプランニングパラメータを点検するために、ファントムから、デジタル再編成（リコンストララクション）、とくにＸ線再編成が計算されることができ、その再編成は考え得る差異を確認するためにファントムから発生されたＸ線撮影と比較される。
【００２０】
本発明はイオンビーム治療システムの作動安定性および作動安全性の明瞭な改善を可能にしかつイオンビーム治療システムの検査試験および／または整合性試験の意味において実施され得る特別な点検態様を有する点検プランを定義している。これはとくに照射プランニングに関し、その過程において放射線量データが照射または治療されるべき患者に依存してイオンビーム治療システムにおいて自動的に計算される。
【００２１】
本発明を以下で添付図面に関連して好適な実施例に基づいて説明する。
【００２２】
【発明を実施するための最良の形態】
本発明が基礎を置いているイオンビーム治療システムは、一般的には、医療領域および加速器領域に分割される病院の建物内で使用される。患者の治療のために複数の治療または照射場所が設けられている。イオンビーム治療システムの制御システムは複数の制御室からなり、そのさい個々の治療場所のために技術的な制御室および加速器装置のために主管理制御室が設けられることができる。これに対して、建物内には線量測定用のまたは加速器保守用の研究室、またはＰＥＴ装置（ポジトロンエミッタートモグラフ）が収容されることができる。加えて、エネルギ供給装置（とくに加速器装置および照射システム用の）および冷却装置が設けられている。十分な遮蔽作用を保証するために、個々の治療室は、例えば、２ｍの厚さのコンクリートからなっている、厚い壁および天井によって境界付けられている。
【００２３】
イオンビーム治療システムの基本的な構造は本質的に本発明の主題ではないので、ここではそれについて簡単にのみ理解が示されている。
【００２４】
イオンビーム治療システムは以前に既に述べられた加速器装置とともに図１において簡単化して示されている投射（インジェクション）システムからなっている。
【００２５】
投射システムはイオン源１を含み、その放射線は、各場合に、分光計磁石および４極子からなる装置を備えた低エネルギビーム誘導チャンネルによって、放射線を誘導する切り換え磁石に供給され、この切り換え磁石は放射線をさらに他の４極子装置およびパルス形成用に設けられたチョッパ装置を介して、線形加速器２（リニアアクセレレータ、ＬＩＮＡＣ）に供給する。
【００２６】
本実施例では特に12C+2イオンが用いられるものとするが、これは加速器2とシンクロトロン・リング5の間にあるビーム誘導装置中では裸にされ12C+6となる。このために、ストリッパ３が線形加速器２の後に設けられる。これらの炭素イオンはそれらの物理的および生物学的特性に基づいて、腫瘍の治療に極めて有効であることが判明しかつ高い物理的選択性ならびに高い生物学的有効性の利点を有し、そして加えて、ポジトロンエミッタートモグラフ（ＰＥＴ）の助けによって照射を確認するような可能性を付与している。炭素イオンの適宜な選択によって、生物学的な有効性がブラッグ曲線の安定期領域において低くかつブラッグピークの領域において高いように制御され得る。それにより、ターゲットまたは腫瘍は比較的高い線量で治療されることができる一方周囲の健康な組織用の線量は最小にされる。
【００２７】
意図されるイオンの型の使用および加速を排他的に保証するために、高チャージ投射システムにおいて存在するビームのチャージスペクトルが記録されかつ評価される。基準スペクトルとの記録されたチャージスペクトルの比較により、所望しないイオンまたは不純物が検出されかつ対応する処置が行われ得る。この点検は、例えば、イオン源１の各加速化により実施され得る。
【００２８】
線形加速器２はそれに供給されたイオンの最初の加速のために使用され、これらのイオンは、その場合に、注入ライン４を介してシンクロトロン５に供給されている。注入ライン４は、記述されたストリッパ３に加えて、投射パルスの精密な成形用のさらに他のチョッパ装置、チャージ分析用の磁気ダイポール、放射線をシンクロトロン５の受容能力に適合させるための４極子等を含んでいる。
【００２９】
とりわけ、イオン源１、低エネルギビーム誘導チャンネル、線形加速器２（ＬＩＮＡＣ）、ストリッパ３および注入ライン４を含んでいる、投射システムは、かくして全般的に、所望の粒子を有するイオンビームの発生および分析、イオンビームの汚染の監視およびイオンビーム強さの制御、特別な投射エネルギへのイオンの加速およびシンクロトロンリング５に投射されるパルスのパルス長さの決定の課題を有している。
【００３０】
シンクロトロンリング５は定められたエネルギへのそれに供給されたイオンの最終的な加速に役立ちそして例えば、複数の偏向磁石、４極子および６極子を含んでいる。図１に示された実施例において、例えば、各々、６０°の偏向角度を有する、６個の偏向磁石が設けられている。シンクロトロン５の内部には冷却手段（図示せず）が配置される。幾つかの投射サイクルによって、投射されたイオンは数ＭｅＶ／ｕの範囲のエネルギから、例えば、４００ＭｅＶ／ｕ以上のエネルギに加速される。この方法で加速された処置ビームは高エネルギビーム誘導チャンネル６を介してシンクロトロンの特定の位置において引き出されかつ個々の治療場所に供給される。
【００３１】
一般に、水平および垂直のビームの広がりは治療場所において異なるけれども、治療場所での「理想的な」対称かつ安定ビーム形状の要求は実質上ビーム誘導チャンネル内のビーム光学系の適切な調整によって考慮され得る。
【００３２】
高エネルギビーム誘導チャンネル６は４極子レンズ、偏向磁石、ビーム分析装置等を含んでいる。加えて、さらに他のチョッパがシンクロトロン５の引き出し位置の後ろに配置されることができ、それは緊急の場合においてビーム供給を遮断するのに使用される。加えて、処置ビームをシンクロトロン５から結合解除するのに役立つ、引き出し過程のルーチン遮断が各グリッドスキャン部分の後に設けられることができる。
【００３３】
図２は回転架台８の１つの斜視図であり、この回転架台は、各々、処置ビームが前述された高エネルギビーム誘導チャンネル６を介して供給される治療場所の１つに設けられる。回転架台８は特別な回転軸線のまわりに回転する一方、治療されるべき患者は局部的に固定の方向付けおよびアラインメントにおいて患者の寝台９上に横たわる。治療されるべき患者の身体の部位はその装置において処置ビームのアイソセンタ１０内に置かれ、そのさいアイソセンタは後で詳細に説明されるグリッドスキャナの中心ビーム１１と患者の寝台９の回転軸線との間の交差点として定義されている。
【００３４】
図２から明らかなように、高エネルギビーム誘導チャンネル６は、処置ビームが、回転架台８への進入後、１平面において数回偏向されるように構成される。このために、複数の４極子レンズ１２およびダイポール磁石７が設けられ、そのさい最初の２つのダイポール磁石７は、例えば、４２°の同一の偏向角度を有し、そして互いに反対に配置されており、一方、最後のダイポール磁石７は９０°の偏向角度を有する偏向磁石であり、その結果処置ビーム１１は回転架台８に入った後、処置ビームは最初に回転架台８の回転軸線から横方向に偏向されかつ次いで、患者の寝台９に対して９０°の角度で、ビーム出口開口を経由して、最後の偏向磁石７を続いて去るように、回転架台８の回転軸線に対して平行に誘導される。
【００３５】
本イオンビーム治療システムに設けられたグリッドスキャナ装置は、図２に示された実施例に際して最後の４極子レンズ１２と回転架台８の最後の偏向磁石７との間に配置されそして少なくとも１つの水平グリッドスキャナ磁石１３ならびに少なくとも１つの垂直グリッドスキャナ磁石１４を含んでいる。グリッドスキャナ磁石１３および１４はビーム軸線１１をイオン軸線１１に対して垂直にまたは水平に偏向し、その結果この方法において走査されたイオンビーム１１は、最後の偏向磁石７を出た後、予め定められた治療平面と合致してアイソセンタ１０を取り囲んでいる特別な表面を走査する。最後の４極子磁石１２と最後の偏向磁石７との間のグリッドスキャナ１３，１４の配置に基づいて、高度の柔軟性が、アイソセンタ１０でのビームの大きさおよびビーム拡散の、後で詳述される、制御において達成され得る。
【００３６】
グリッドスキャナ磁石１３，１４はイオンビーム治療システムの管理制御システム全体の構成要素である制御装置（図示せず）によって制御される。
【００３７】
最後の偏向磁石７のビーム出口開口とアイソセンタ１０との間の領域には、処置ビーム１１を監視するための監視手段が設けられる。例えば、ビームの位置、ビームの形状および粒子の流れを検知しかつ制御するのに設けられるこれらの監視手段は後で詳細に説明される。
【００３８】
すでに前述されたように、加えて、ポジトロンエミッタートモグラフ（ＰＥＴ）が照射手順（過程）を監視するために設けられることができ、その画像レコーダ（カメラ）はビーム位置において一直線に配置される。ポジトロンエミッタートモグラフは、好ましくは、治療または照射の間中実施される。処置ビームが組織に衝突するとき、最初のイオンから出発して位置放出アイソトープが発生される。１つまたは２つのニュートロンの損失によって単に最初のイオンから異なる、これらのアイソトープの幾つかは、対応する最初のイオンとほとんど同一の領域において停止する。いわゆるポジトロンエミッターのこの停止点はポジトロンエミッタートモグラフの助けによって照射手順の監視のために検知され得る。
【００３９】
上述されたイオンビーム治療システムのために、治療システムの重要な性能特徴を点検しかつ制御するための、以下で詳細に説明されるような、範囲の広い点検システムが開発された。
【００４０】
点検システムの最初の部分は処置ビーム１１を発生することに関する。
イオンの種類のすでに前述された点検に加えて、そのさいまた処置ビームの放射線エネルギが監視される。これは、その都度の治療によって要求される照射エネルギが遵守されねばならないので、必要である。このために、図２に示された監視手段はそれぞれの治療場所のアイソセンタ１０に配置され得る吸収（アブソーバ）イオン化チャンバーシステムを含んでいる。吸収イオン化チャンバーシステムは、治療試験サイクルの間中作動される幾つかの選択されたエネルギ等級に関して治療場所でブラッグピークの位置を測定し、そのさい瞬間の放射線エネルギがブラッグピークの測定された位置から生じる。ブラッグピークの位置を決定するために、ブラッグ曲線が精密なステップにおいて測定される。点検に際して、０．５ｍｍ以上の所望の位置からのブラッグピークの逸脱があるならば、その場合に介入が必要である。不変性を試験するために、記載された点検手順が照射手順の各中断（ブロック）の前に実施され得る。
【００４１】
処置ビームの点検に関してさらに他の詳細な点は照射または治療場所においてゆっくり引き出された処置ビームの強さのレベルの監視に関する。グリッドスキャナの制限されたダイナミックスは走査された処置ビームの走査または走査速度に上方で制限し、そのさいこの制限に対して決定的な成分は磁石電流供給装置の最大電流増加速度である。処置ビームの走査速度はビームのそれぞれの強度および計画された粒子密度に依存している。最大走査速度が照射の間中達成されないことを保証するために、シンクロトロン５から引き出された粒子量は実質上所望の値を超えなくてもよい。それに対する顕著な低下に際して、合計照射時間は延長され、場合によっては制御および監督または監視システムはその場合に任意に、ビーム検出の精度の損傷を結果として伴う、非常に小さい入力電流の範囲において作動されている。したがって、本治療システムにおいて、情報強度範囲におけるシンクロトロンの粒子強度のならびに照射場所に供給された粒子量の測定および記録は数分にわたって複数のエネルギのすべての強度レベルに関して設けられる。加速器から照射場所へ供給された粒子量はシンクロトロン５からの引き出し当たり２×１０６ と２×１０８ イオンとの間にある。予め定められた所望の値からの粒子量の逸脱はその値の上方で最大３０％そして下方で最大５０％にすることができる。それらの限界値が逸脱されるならば、対応する介入が必要である。治療システムの不変性（コンスタンシー）を点検するために、この点検は、例えば、毎日行われることができる。
【００４２】
エネルギ変化、強度変化および焦点合わせ変化の同一の依存状態が、加速器用のデータ供給の、照射プランニングのかつグリッド走査プログラミングの基礎として取られねばならない。それを保証するために、最後の治療プログラミング後加速器のように発生されたデータ入力がグリッド走査プログラミングおよび照射プランニングに使用されたデータ入力と比較されるべきてある。これらのデータ入力の逸脱は許容されない。不変性を点検するために、この点検は各照射中断の前に実施されねばならない。
【００４３】
照射の間中、治療に必要である加速器の部分は、意図的なおよび意図しない誤った設定を回避するために（外部）干渉に対してブロックされる。同時に、すべての構成要素の作動状態は作動されそしてメモリ、例えば、ＥＰＲＯＭＳに排他的にファイルされた装置用の所望の値のデータがアクセスされる。干渉に対して加速器を遮断する機能は、実験および治療加速器の両方を含んでいる「スーパーサイクル」を設定することによって点検されることができる。回転架台８用の高エネルギビーム誘導６において、例えば、（後で詳細に説明される）プロファイルグリッド、発光ターゲットおよびイオン化チャンバーのごとき、監視手段または検出器が持ち来され、そして高エネルギビーム誘導チャンネル６および治療加速器用のシンクロトロン５のビームに作用する要素が作動解除される。次いで加速器の遮断が作動されそして実験加速器のすべてが作動解除される一方、治療用加速器が作動される。加えて、治療加速器に関して以前に作動解除されたすべての構成要素が作動され、そして挿入されたプロファイルグリッド、発光ターゲットおよびイオン化チャンバーが再び移動される。いまや、オフコマンドが個々の磁石にそして調整コマンドがビーム誘導診断構成要素に送られ、それらのコマンドは、通常の場合に、加速器の遮断によっていかなる作用も有するように許容されない。他の方法では、対応して修正されねばならないエラーがある。この点検は、不変性を点検するために各照射中断の前に実施され得る。
【００４４】
安全の理由から、シンクロトロン５からの処置ビームの引き出しは、治療システムのインターロックユニットの対応する信号後１ｍｓ以下で終了されることができねばならない。これは、急激にオフされているシンクロトロン５の特別な４極子の急激なオフによってによって行われた。制御および安全システムによるビーム終了の要求と照射場所でのビームの不存在との間の時間は、一定のエネルギにより照射されるべき区域に対応している、連続する等エネルギレベル間に変化があるときのグリッド走査過程のために、また、エラーの場合において考え得るシステムの緊急遮断のために重要な意味からなる。したがって、合計時間、すなわち、要求の反応時間およびビーム終了の反応時間の両方を測定する試験が設けられる。このために、制御システムが適切な信号を発生し、この信号が等エネルギレベルの終了をシミュレートするか、またはインターロック状態、すなわち、緊急遮断の状態が発生される。続いて、制御システムにより終了後の粒子カウントが測定され、そのさい終了後１ｍｓでカウントは１０４ 粒子／ｓより大きいように許容されない。加えて、治療システムの技術的な制御室の固定位置に取り付けられる記憶オシログラフおよびパルサーを使用して、制御システムの上述した測定を点検するためにイオン化チャンバーの１つの電流電圧変換器の出力信号を評価する測定が行われる。また、この第２の測定において、終了後１ｍｓでいかなるビームも検出されることを可能にすべきでない。終了の以下の時点、すなわち、引き出し時間の始まり、引き出し時間の中間、引き出し時間の終了および引き出し時間を超えて、順次点検される。点検は不変性点検として毎日行われるべきである。
【００４５】
各照射の終わりに、加速器側から、プロトコルが設定されねばならず、そのプロトコルは照射の間中重要な加速器構成要素の調整ならびに選択されたビーム診断測定結果を記録する。プロトコル化およびプロトコル内容の機能性を試験するために、基準治療サイクルが作動されかつプロトコルプログラムが呼び出されることが提案される。次いで、プロトコルプログラムによって引き出されたプロトコルデータは期待されたデータと比較されることができ、そのさいプロトコルが完全でないときまたはプロトコル化された装置のエラーが存在するとき、介入が行われねばならない。不変性を点検するために、この点検過程は各照射中断の前に実施されることができる。
【００４６】
点検システムのさらに他の部分は処置ビームの誘導（照射場所の前）を点検することに関連付けられる。
【００４７】
加速器から出発して、終了の要求に際して引き出しの終了が行われることが保証されるべきである。処置ビームが終了要求によって終了されないならば、その事実が強度測定によって制御システムおよび安全システムにより確認され、そしてビームの終了が、新たに、別個に設けられた冗長なチャンネルによって要求される。その第２の要求は高エネルギビーム誘導チャンネル６の対応する偏向ダイポールに作用する。また、この冗長な引き出し終了の機能性を点検するために、最初の引き出しの終了のために設けられた警報ラインが人工的に遮断される。この場合に、上述した第２の引き出しの終了が自動的にトリガされるべきであり、それは公称の引き出しの終了の上述した試験に類似して試験されることができる。引き出しの終了が１０ｍｓ以内に発生しないならば、適切な介入が必要である。不変性の点検のために、この試験は各照射中断の前に行われることができる。
【００４８】
さらに他の試験により、高エネルギビーム誘導チャンネル６に配置されたダイポールの接続および接続解除作動が試験されることができる。患者の安全性理由から、照射（加速器の遮断後）前の高エネルギビーム誘導チャンネル６の最後の２つの偏向磁石の接続解除はそれらの磁石用の回路網装置への特別なケーブルの接続によって技術的な制御室からのみ作動可能である。この接続解除によって、照射場所へのビーム供給は停止される。これらの磁石の接続は特別な信号を介して技術的な制御室からのみ実施されることができかつ加速器の主制御室からは（通常のごとく）実施され得ない。この接続および接続解除の作動は試験され、そのさい対応する接続／端子は、また、試験される。不変性の点検のために、この試験は各照射中断の前に実施される。
【００４９】
点検システムのさらに他の部分は照射場所でのビーム誘導の点検に関する。
【００５０】
この点検部分の第１の態様にしたがって、処置ビームのゼロ位置が監視される。グリツドスキャナ磁石１３，１４によってビーム１１の偏向後アイソセンタ１０での正確なビーム位置決めを保証するために、照射場所に対するビーム誘導装置の最後の部分における処置ビーム１１の軸方向の位置がエネルギ全体および焦点合わせ範囲に関して点検されねばならない。この理由のために、プロファイルグリッド１６がグリッドスキャナ磁石１３および１４より後にかつビーム出口窓においてビーム通路に挿入され、そして試験サイクルがエネルギ全体および焦点合わせ範囲にわたって発生される。そのさいプロファイルグリッドが個々に評価されかつそのさい記録されたビームパラメータがプロトコル化される。ビーム出口窓に配置されたプロファイルグリッドの測定に際して、その前方に配置されたプロファイルグリッド１６が移動されねばならない。プロファイルグリッドによって供給されたビームパラメータの評価によって、水平および垂直方向の両方においてビーム位置およびビーム角度が決定され得る。プロファイルグリッドのビーム位置から、アイソセンタ１０で期待されるような処置ビームの位置が確認されかつ次いでプロトコルが点検される。そのさいアイソセンタ１０に関して所定のビームの半分の値の幅に関して±２５％の位置エラーが決定されるならば、適切な介入が実施されねばならない。不変性を点検するために、この試験は毎日行われることができる。
【００５１】
この点検部分のさらに他の態様によれば、照射場所での処置ビームの絶対のビーム位置および位置安定性が点検される。絶対のビーム位置の遵守は治療または照射プランの変換の前提条件である。それゆえ、絶対の位置が制御システムの位置感知検出器により測定される。照射場所のアイソセンタにおける処置ビームの相対的な位置安定性は照射プランがそれにより実施され得る精度を決定する。処置ビームの位置は、オンラインで、すなわち、連続して、照射の間中、測定されかつ点検される。照射プランによって予め定められた許容限界内での所望の位置からの逸脱に際して、照射は中断されるかまたは適切な介入が行われる。各位置感知検出器は別個に点検される。
【００５２】
点検は、例えば、多線（マルチワイヤ）室のごとき、プロファイルグリッドおよび位置感知検出器によって実施される。
【００５３】
プロファイルグリッドの利用に際して、アイソセンタ１０における絶対のビーム位置がアイソセンタの場所において発光ターゲットまたはフィルムの助けによって点検される。そのさい、プロファイルグリッドの位置は発光ターゲットまたはフィルム上のレーザクロスによって目視可能になされるアイソセンタにより調整される。グリッドスキャナ磁石１３，１４によって、処置ビーム１１はアイソセンタ１０において静止して偏向されそしてプロファイルグリッド測定によって得られた位置座標が予め定めた所望の値と比較される。これは、例えば、規則的な間隔において、例えば、ほぼ１０番目のエネルギレベルごとに実施され得る。
【００５４】
ビーム位置のオンライン制御および調整のための多線室の利用に際して、２つの多線室がアイソセンタ１０の前方でほぼ９７０ｍｍおよび７９０ｍｍの距離で位置決めされそしてレーザビームの助けによって、アイソセンタ１０を通って延びている中心ビームが多線室の中心を通って垂直に延びるように一直線に配置される。グリッドスキャナ磁石１３，１４によって、ビームは、照射区域内の５つの異なる位置（すなわち、上方および下方、そのつど左方および右方ならびに中心において）の各々に、例えば、５つの異なるエネルギで、静止して偏向される。設定の位置は制御システムによって測定されかつ所望の値と比較される。
【００５５】
多線室がアイソセンタの前方で異なる距離に位置決めされるので、２つの多線室の照射領域の投射が異なる要因によって減少される。ビームのジオメトリおよび放射線法の規則の利用により、以下の減少要因が得られる、すなわち、
多線室がアイソセンタの前方で９７０ｍｍ：
Ｘ座標：減少要因０．８９０
Ｙ座標：減少要因０．８７６
多線室がアイソセンタの前方で７９０ｍｍ：
Ｘ座標：減少要因０．９１０
Ｙ座標：減少要因０．８９９
【００５６】
多線室による絶対ビーム位置の点検前に、それらの絶対位置の較正が行われるべきである。このために、多線室の位置のアラインメントおよび固定の後、上述したレーザクロスによって絶対的に位置決めされたフィルムは５つの位置において照射される。フィルムによって確認されたビームのゼロ点は多線室から計算されたゼロ点と比較される。差異または逸脱がその場合に位置を計算するために補正オフセット値を生じる。これらの補正オフセット値は位置の所望の値において考慮され、そのさい５つのすべての点の絶対位置が互いに比較される。
【００５７】
その方法において較正された多線室を使用して、絶対ビーム位置が次いで点検され、そのさい制御は、この方法において確認された位置の差異がビームプロファイルの半分の値の幅の最大２５％に対応するように実施されている。ビームプロファイルの半分の値の幅に対してこの介入しきい値は、半分の値の幅を有する照射プランのすべての幾何学的パラメータかつとくに、患者の作動に必要な発生された粒子の密度の品質が達成されるので、実用的であることが判明した。不変性の点検の実施に際して、上述した多線室の測定が、アイソセンタにおける追加のプロファイルグリッドの取り付けが毎日の作動に関して非常に高価になるので、単に使用される。
【００５８】
この点検部分のさらに他の態様は、絶対のビームプロファイル幅のおよび時間にわたっての安定性の監視および制御からなっている。治療または照射プランがそれらの値に基礎が置かれるので、加速器装置から制御システムのパルス中心制御によって要求に応じて供給されるビーム焦点合わせが遵守されされねばならない。このために、アイソセンタ１０における絶対ビームプロファイル幅がプロファイルグリッドの助けによって点検され、プロファイルグリッドの位置は発光ターゲットまたはフィルム上のレーザクロスによって目視可能にされたアイソセンタにより調整されている。グリッドスキャナ磁石１３，１４によって処置ビームはアイソセンタにおいて静止して偏向され、そのさいそれが、例えば、ほぼ１０番目のエネルギレベルごとに実施されることを可能にしている。プロファイルグリッド測定によって得られたビーム幅は予め定められた所望の値と比較され、そのさい制御は、±５０％の予め定められた所望の値からビーム幅の最大逸脱が観察されるように行われる。これはとくに２００ＭｅＶ／ｕ以上のエネルギ範囲に適用される。
【００５９】
イオンビーム治療システムの不変性の点検は、他方で、すでに前述された、多線室を使用して行われることができ、それらは、アイソセンタ１０の前方でそれぞれ、９７０ｍｍおよび７９０ｍｍの距離において配置される。実際の点検の前に、２つの多線室の絶対幅測定の較正が実施される。そのさい、フィルムが水平および垂直ストライプにより照射され、そのさい各ビームが固定焦点合わせによりシンクロトロンからの引き出しによって発生されている。この方法において、選択可能な焦点合わせに依存して、例えば、７つのビームを発生することができる。照射されたフィルムに基づいて確認されたビーム幅は、再び所望の値において考慮され得る、それからの補正オフセット値を得るために多線室（位置決め室）によって測定されたビーム幅と比較される。続いて、制御システムと関連してこのようにして較正された多線室の助けによって、ビームプロファイルの半分の値の幅およびその不変性または時間にわたっての安定性が測定されかつ監視され、そのさいこれはとくに、選択可能な焦点合わせの各々に関して異なるエネルギおよび強度で行われている。
【００６０】
絶対ビーム位置の測定と比較された絶対ビームプロファイル幅の測定における半分の値の幅の２９％から５０％への介入しきい値の上述された増加は、照射プランの骨子においてビーム位置の間隔が半分の値の幅の３３％に設定されるので、均質性に関する要求と一致する。
【００６１】
アイソセンタの前方に、例えば、ビーム出口窓、検出器またはリップルフィルタのごとき、処置ビームの分析および変調用の幾つかの要素が、通常配置される。これらの要素によって、ビームエネルギが減少するとき著しく増加する、処置ビームのスキャッタリングを引き起こす。それによって、物理的理由から、より低いエネルギ範囲（エネルギ＜２００ＭｅＶ／ｕ）において最初に要求されたビーム幅の遵守がより多くなくまたは困難でのみ実施可能である。この場合において結果は、上方許容値の超過であり、その結果その作用は照射プランニングにおいて考慮されねばならない。
【００６２】
この点検部分のさらに他の態様は、処置ビーム中の粒子数の監視、すなわち、粒子数の変化の監視に関する。粒子数測定用の測定範囲が余りにも大きくなるのを阻止するように、加速器によって供給される処置ビームの強度は幾つかの許容限界内でのみ変動すべきである。本場合において提案されることは、処置ビームの強度が制御システムの測定装置と関連してイオン化チャンバーを使用して測定され、そして粒子数が３００μｓの時間窓を介して平均化されるということである。それに続いて測定された粒子数は、介入をトリガしないために、以前に確認された平均値の値の最大で５倍に対応するように時間窓内で許容される。これらの手段によって、より信頼し得る測定範囲が選択され、それにより、例えば、以前に計算された平均値より１０の因数だけ高い同様な粒子数がさらに正しく測定される。同様により高い粒子数が生起するならば、警報がトリガされかつ既述された、インターロックユニットがビームのオフをトリガする。しかしながら、注意されねはならないことは、この点検態様が検出器のプリセットにのみ関係し、そしてエネルギの投与量等に直接的な影響を持たないということである。また、以前に定義された介入しきい値の上方にかなりの程度に横たわっている粒子数の変化に際して、後述される、粒子の密度の均質性は決定的な品質規準として十分であるかも知れない。
【００６３】
最後に、照射場所での確実なかつ安定なビーム誘導に関連して、高エネルギビーム誘導チャンネル６の最後の偏向磁石と回転架台８との間のすべての可動の構成要素の所望の位置が、ビーム誘導装置に置かれた物体が照射場所においてビーム品質の損傷を導くので、規則的に点検されるべきである。それゆえ、ビーム誘導装置の可動の構成要素がビーム通路内に見いだされないことが保証されねばならない。このために、対応する可動の構成要素に、その状態が自動的にかつ個々に制御システムによって点検され得るリミットスイッチが接続される。それは、不変性の点検のために、各照射中断の前に繰り返されるべきである。
【００６４】
点検システムの第４の態様は、イオンビーム治療システムの照射制御ユニットと関連付けられる特徴の点検に関する。
【００６５】
粒子数の決定に役立つ、治療システムの管理または監視システムの上述されたイオン化チャンバーに発生された電荷は、イオン化チャンバーガスの圧力および温度に依存し、その結果これらの変数の両方が照射の間中監視されかつプロトコル化されねばならない。イオン化チャンバーのガスの圧力および温度は電気的センサの助けによって測定され、そのさい測定値は制御システムによってほぼ１回／分で記録されかつ入れられた較正要因により絶対単位（ｈＰａおよび°Ｃ）に変換されかつデジタル的に表示される。測定値の時間的経過が傾向図においてグラフ的に示され得る。センサは基準測定装置の助けによって較正される。イオン化チャンバーに取り付けられたセンサの較正は各治療照射の中断の前に繰り返されねばならない。加えて、監視システムの場所での大気圧および室温が絶対的に較正された装置によって測定されかつ制御装置によって記録されならびに各照射に際してプロトコル化される。結果として、イオン化チャンバーの（毎日の）点検のために、大気圧および室温の絶対値が、基準測定装置において直接読み取られ、制御システムによって表示された値と比較されかつプロトコル化されることができる。基準値として、そのさい、監視システムの毎日の較正に記録された測定値が役立つ。２０ｈＰａまたは５°Ｃの相違に際して、警報が制御システムによってトリガされる。
【００６６】
また、イオンビーム治療システムの制御コンピュータへのプログラムおよびデータセットのローディングが点検されねばならない。これは、システムのシーケンス制御に患者の照射に要求されるデータを、システムのシーケンス制御において正しく負荷することができるために必要である。すべてのデータが正しい場合にのみ、患者の照射が開始されることができる。このために、制御システムのサーバーコンピュータ中の特別なプログラムの助けによって、プログラムおよびデータが制御コンピュータの個々のプロセッサに書き込まれ、読み出されそして個々のメモリに記憶されたプログラムおよびデータと比較され、そのさいかかる点検プログラムが各照射の前に自動的に実施されている。再び負荷されたデータが制御システムのデータメモリに記憶されたデータに精密に対応するときのみ、安全運転から開始されることができる。相違に際して、警報信号が発生されそして照射の阻止に役立つ、上述したインターロックユニットは解放されることができない。
【００６７】
さらに他の点検態様はグリッドスキャナの偏向磁石１３，１４用の電流の接続に関連している。そのさい、注意されねばならないことは、それらの偏向磁石の電流値が、幾つかの許容限界内で、値および時間の両方において、磁石供給装置に設定された一定の所望の値を達成するということである。このために、磁石供給装置における磁石電流値の設定と適切な安定した磁石電流の達成との間の時間が種々の電流値に関して測定される。そのさい、設定された磁石電流値からの相違に関して許容され得る最大電流精度は０．３Ａである。２Ａの電流の変化に際して許容され得る最大調整時間はｘ方向において１７５μｓそしてｙ方向において３２５μｓである。これらの許容値が遵守されないとき、照射は終了されねばならない。不変性の点検のために、この試験は各照射の中断の前に実施されることができる。
【００６８】
最後に、また、保証されるべきことは、終了条件が生起するとき能動の照射点の数が永続的に記憶される、すなわち、パワーの損失に対して保護されるということである。これは資格を与えられた人間によって認可された照射時間においてより遅い点においての継続を可能にする。この実行された安全性の機能の機能性は管理接続システムに特定の照射または治療プランを負荷しかつ照射なしにプランを実施し、すなわち、それをシミュレートすることによって点検されることができる。特定の照射場所において、シーケンス制御の電圧供給がオフされそしてシステムの再始動後、最後の照射場所が読み出されそして電圧供給がオフされるとき照射場所と比較される。２つの読み取りが一致しないならば、適切な介入が実施される。不変性の点検のために、この検査は各照射の中断の前に行われる。
【００６９】
点検システムのさらに他の部分は、イオンビーム治療システムの患者の位置決めに対する医療用装置の点検に関する。
【００７０】
例えば、ターゲットの立体配列の座標の決定の精度が、立体配列の作像の精度が照射の全体の精度に関して重要な要因であるので、ＣＴまたはＭＲ方法の助けによって点検されるべきである。このために、球状のファントム内の所望のターゲットが、その中心が作像方法の助けによって容易に目視し得る方法において示されることができる球状試験体によって示され得る。球状のファントムは立体配列のフレームに締め付けられ、その結果中心が未知のターゲットとなる。立体配列の座標は、その場合に、使用されるラジオグラフ、ＣＴまたはＭＲ方法の助けによって連続して決定され；トモグラフ方法の場合において、層間隔は１ｍｍにすべきである。ラジオグラフ方法の精度は１／１０ｍｍに正確であり、ＣＲまたはＭＲによりターゲットを決定する精度はラジオグラフ方法との比較によって決定されることができ、すなわち、ラジオグラフにより決定されたターゲットの位置とＣＴまたはＭＲ方法により決定された位置との間の半径方向の距離が点検される。半径方向の距離は１．５ｍｍ以上にすべきでない。不変性を点検するために、この試験の年に一度の実施が十分である。
【００７１】
さらに他の試験態様として、患者の寝台９の回転軸線とグリッドスキャナ１３，１４からのビーム中心との間の交差点として定義される、アイソセンタがプランニングと照射との間の位置決めの接続要素であるので、患者の寝台９の回転軸線とグリッドスキャナ１３，１４からの中心ビームとの間のアイソセンタの位置の精度を点検することが提案されている。不変性試験が各照射中断の前に実施例されるべきである。
【００７２】
患者の寝台９の回転軸線に関連してアイソセンタを点検するために、金属試験体（２〜３ｍｍの直径）が、レーザの助けによって、公称のアイソセンタに、すなわち、患者の寝台９の回転軸線に動かされる。試験体の位置は、試験体の情報の中心に正確に向けられる下げ振り糸によって決定される。患者の寝台９の回転軸線の回りの回転の間中、下げ振り糸に関連して試験体の運動の範囲が決定される。この手順は患者の寝台９の少なくとも３つの異なる高さにおいて実施される。すなわち、例えば、アイソセンタの高さにおいてかつ上方／下方に少なくとも１５ｃｍの間隔により、１５ｃｍ上方／下方の患者の寝台９の最大調整可能性の場合において実施される。最大偏差はビーム方向において１．０ｍｍでかつビーム方向に対して直角において０．５ｍｍのみであるかもしれない。ビーム方向の変化は、患者の線量分布がこれらによって影響を及ぼされないので、重要ではない。
【００７３】
中心ビーム１１に関連してアイソセンタを点検するために、アイソセンタの位置が逸脱しないビーム平面の下で患者の寝台９の回転軸線上の定義によって確立され、かつ壁のマーキングに関連して光学測定システムによって画成される。中心ビーム１１に関連して試験体の位置を試験することがフィルム測定の助けによって実施され、試験体の下流（ビーム方向に見て）の確認フィルムは（非走査の）中心ビームにより照射され、その半分の幅が試験体の直径より大きく、その結果中心ビームに関連して試験体の位置は確認フィルム上に作像される。この場合に、介入しきい値が主要ビームの半分の幅のほぼ２５％の偏差に置かれる。
【００７４】
加えて、アイソセンタ１０上のレーザ調整の精度は、レーザがアイソセンタ１０をマークするので、点検されねばならない。この場合に、試験体が光学測定の助けによってアイソセンタ１０に位置決めされた後、レーザは試験体の中心と一直線に整列されそしてそれらの水平および垂直からのレーザラインの偏差が点検され；各場合に最大偏差は１ｍｍであってもよい。不変性を試験するために、レーザの画像が反対の壁または床上にマークされかつ続いて基準値として使用される。
【００７５】
さらに他の試験態様は、ラジオグラフ方法がアイソセンタ１０をマークする追加の方法を示すので、Ｘ線管の調整および反対の記録ステーション上のターゲットクロスの精度に関する。光学測定の助けによるアイソセンタ１０における試験体の位置決めに続いて、ラジオグラフが３つの空間的方向において作られそして試験体とターゲットクロスとの間の画像の間隔はラジオグラフ上で決定される。試験体はターゲットクロスの画像上に正確に作像されるべきであり、その結果試験体とターゲットクロスとの間の最大の間隔は１ｍｍにすることができる。
【００７６】
患者のアイソセンタ照射のため、患者の寝台９のアイソセンタの角度目盛りの表示の精度が、また、点検され、このために、それは、ＤＩＮ６８４７−５、ポイト１２．２．４の規定に類似して実施されることが可能である。最大の許容し得る不精度は１°である。
【００７７】
同様に、患者の寝台９のアイソセンタ回転の空間的安定性が、アイソセンタ１０の定義が対応する安定性を取るので、点検されるべきである。この点検はＤＩＮ６８４７−４、ポイント１４．２と類似して実施され得る。
【００７８】
最後に、また、正確な患者の位置決めが腫瘍一致の照射の予備条件であるので、患者の支持および位置決めの精度を点検することが提案される。治療システムの受容試験および不変性試験（各照射中断の前の）のために、これに関連して、立体配列のベースリング内に固定された、試験体の中心の未知の立体配列の座標がターゲットとして決定されそして中心が立体配列の目標装置の助けによってかつ患者の寝台９の横方向の運動によってアイソセンタ１０に持ち来される。この位置において、ラジオグラフが３つの空間的方向において作られそして試験体の位置とターゲットクロスとの間の間隔が３つのラジオグラフ上で決定される。試験体の中心とアイソセンタとの間の半径方向の間隔は最大で１．５ｍｍにすることができる。他の方法では、患者の支持体の適切な補正が必要である。
【００７９】
試験システムのさらに他の部分は、その過程において、とくに、特別な照射に向けられる照射線量値が計算される、照射プランニングに関する。
【００８０】
最初に、保証されねばならないことは、同一の基本データセットが常に照射のプランニングに、すなわち、各照射線量の計算に使用されるということである。これは、以前に作られたバックアップコピーの正しい指定と比較される基本データを含んでいるファイルの名前、日付けおよび大きさによってなされている。これは線量計算のアルゴリズムが呼び出されるごとに自動的に実施される。
【００８１】
また、バックアップコピーの対応する値と実際の基礎データセットの値の同一性が、基礎データセットが制御されないで変化されないことを保証するために点検されねばならない。またここで実施されるのは、コンピュータプログラムによってバックアップコピーとの実際の基礎データセットの内容の比較であり、そのプログラムはとくに各照射の中断の前に開始されるべきである。
【００８２】
ＤＩＮ６８７３、パート５、照射プランニングシステムにより、加えて、基礎データセット中の基準値の点検が１カ月に一度必要である。この詳細な点は、深さ線量分布、すなわち、深さの関数としてのエネルギ損失データが入力の影響に対して絶対値として記憶されるので、重イオンによる本照射プランニングにおいては省略され得る。それゆえ、線量に関する特別な基準値は記録されない。使用される基礎データセットは上述された方法においてすでに点検されている。
【００８３】
照射プランニングの点検に際しての重要な態様は存在する基礎データの依存においてプランニングされた照射に関するイオンビーム治療システムにおいて自動的に実施される線量計算および使用される線量計算アルゴリズムの精度を点検することであり、そのさい均質および非均質の媒体の照射の間で識別することが必要である。両方の場合において、線量計算を点検することはファントムを使用することによって実施され、そしてこの手順は以下で詳細に説明される。
【００８４】
均質の媒体に関して計算された線量の点検のために、イオンビーム治療システムの照射プランニングプログラムにおいて、複数の測定点、例えば、１０個の測定点が計算された線量分布またはＣＴ部分において定義され、その測定点において計算された物理的線量は経験的に確認され得る。確認はウォーターファントムにおいて実施され、そのさいウォーターファントム内の所望の測定点に対応する座標においてイオン化チャンバーが位置決めされている。照射プランニングプログラムは水エネルギ線量値と並んで個々の測定点に関して、また、ファントム中のその座標を計算する。ファントムは次いで照射プランニングプログラムによって計算された制御パラメータを使用して照射され、そのさいイオン化チャンバーによって記録された値は計算された線量値を確認するためにエネルギ線量値に変換されている。
【００８５】
確認は複数の照射プランに関して実施され、そのさい、好ましくは、６個の代表的な照射プランが確認され、そのうちの３つの照射プランがウォーターファントム中の仮定のターゲット容量に関連付けられかつ３つの照射プランが患者の照射に関連付けられる。後者の照射プランは、その後、標準の患者のプランとして使用される。照射計算プログラムによって計算された値は実施すべき不変性点検についての基準値として役立つ。
【００８６】
介入しきい値として、計算されたおよび測定された放射線量値間の最大許容相違が合計で、すなわち、平均で、ターゲット照射容量の線量の±２５％であるように設定される。加えて設定されるのは、個々の測定点についての最大許容相違が±７％であるということである。
【００８７】
上述した手順はとくにイオンビーム治療システムの検査試験に関する。不変性の点検のために、計算された線量分布の不変性を点検するために各場合に上述した標準プランの２つのみを確認し、かつそれれらを経験的に決定されるような線量分布と比較すれば十分である。不変性の点検は各照射の中断の前に実施されるべきである。
【００８８】
基礎データの、使用される照射計算アルゴリズムのおよび使用される非均質の媒体についての近似の関数として線量計算の精度を点検するために、球状の固体ファントムが使用されることができ、これは水と同等な材料からなりかつ種々の非均質性が種々の非均質体をシミュレートするために挿入され得る個々の層から構成される。それらの均質体は、種々の組織同等材料（例えば、肺の、柔らかいまたは硬い骨の、柔らかい部分のまたは結合水の材料に対応する）または単に空気（ディスクが挿入されないとき）からなるディスクである。その場合に、同様に、１０個の測定点までが確認のためにファントム内に定義され、その各々において放射線量が照射プランニングプログラムによって計算されかつイオン化チャンバーを同時に測定するグループを使用して記録されかつそれと比較される。
検査試験のために提案されるのは、３つの異なるファントム構造が、薄い非均質体および厚い非均質体において、種々の材料（例えば、空気／水および骨／水）からなる境界層の後ろに計算された線量分布を調査するために作られるということである。
【００８９】
また、非均質の媒体に関して計算された線量値の調査に際して、提案される許容しきい値は、計算された線量値と±５％のすべての測定点の測定された線量値との間の最大許容平均相違および±７％の個々の測定点についての最大許容相違である。不変性の点検のために、上述した試験が各照射の中断の前に行われることができる。
【００９０】
また、線量計算は不規則に成形された試験ファントムを使用して確認されることができる。この場合に、水同等材料からなりかつ例えば、人間の頭に合わせられる試験ファントムが使用される。前述されたように、１０個までの測定点が確認のためにファントムに定義される。さらに、照射パラメータは頭のファントムにおいて適切なターゲット照射容量に関して設定されかつ試験ファントムは立体的配列のベースリングの助けにより調整される。続いて選択された測定点においてイオン治療システムの照射プランニングプログラムによって計算される水エネルギ線量値は、次いで、それらの測定点において測定された値を参照してイオン化チャンバーと比較され、そして再び、すべての測定点についての最大許容相違はターゲット照射容量の線量の±５％であり、これに反して各個の測定点についての最大許容相違は±７％である。不変性の点検のために、この試験は各照射の中断の前に実施され得る。
【００９１】
照射プランニングの点検に際してのさらに他の態様は、幾何学的構造（例えば、ターゲット照射容量および患者の輪郭の）ならびに位置決めへの画像形成からのプランニングパラメータの正しい転送を保証するようにイオンビーム治療システムにおいて使用される画像形成方法の検査に関する。このために、非均質媒体において計算された放射線量値の確認に際してと同様に、ディスク形状のまたはリング形状のインサートを有するファントムが使用されることができ、そのさい非均質インサートはこの場合に加えて異なる直径を有することができる。ファントムの画像が撮られ、そしてそのように得られたＣＴデータからデジタルＸ線再構成が回転架台８（図２参照）の３つの主方向に関して計算される。続いて、プランニングジオメトリの確認がＸ線位置決めシステムのＸ線画像の助けによって３つの主方向において実施される。その手順は図２に示された患者の寝台９の種々の角度、例えば、０°、４５°および９０°において実施されることができる。この方法において、Ｘ線位置決めシステムのＸ線画像に対してデジタルＸ線再構成における非均質体の形状および位置が確認される。この場合に許容しきい値として設定されるのは、ファントムのリングの形状に関連して最大許容の位置的な相違および最大許容の相違が２ｍｍであるということである。不変性の点検は、再び、各照射の中断の前に行われることができる。
【００９２】
作動安全性の増大のために、加えて、イオンビーム治療システムに使用される照射プランニングプログラムの保守およびさらに他の展開を監視することが必要である。照射プランニングプログラムのさらに他の展開に続いて、プログラムの不正なバージョンがエラーにおいて使用され得ることが可能である。それを回避しかつ種々のモジュールの正しいバージョンが常に使用されることを保証するために、イオンビーム治療システムの制御システムは、照射プランニングプログラムが呼び出されるたびに、それぞれのプログラムの日付けを有するバージョン番号が表示され、それが使用者によってプロトコルブックのデータと比較されることができる。
【００９３】
同様に、照射プランニングプログラムのさらに他の展開の場合において、すなわち、新たなバージョンが存在するとき、保証されねばならないことは、そのバージョンが更新された検査試験の後のみ有効になるということである。これは、前述されたように均質の媒体に関して、非均質の媒体に関してかつ不規則に成形されたファントムに関して計算されておりかつバックアップコピーとして記憶されている完全な線量分布によって行われることができる。新たなプログラムバージョンの利用に際して、それらの記憶された線量値は、それがまた同一のファントムについて計算されるような同一の線量値に使用されるとき必要であるので、新たなプログラムバージョンの機能性の確認のための関連または基準値として使用されることができる。それゆえ、この点検は照射プランニングプログラムに対するあらゆる変化後に実施されるべきである。
【００９４】
点検システムのさらに他の部分はグリッド走査手順および線量測定の点検に関連する。
【００９５】
そのさい、この点検部分の最初の点検態様は、本例示実施例の場合において−すでに記載されたように−大きな面積のイオン化チャンバーからなっている、イオンビーム治療システムの粒子数監視または管理手段に関連する。
【００９６】
それに関連して、例えば、それらのイオン化チャンバーの較正要因の不変性が、較正要因が大気密度の変化の範囲内でのみ変化するよう許容されるので、点検されねばならない。グリッドスキャナの２つのイオン化チャンバーはイオン化チャンバーの管理または監視ユニット当たりの粒子数に関連して較正される。較正は、粒子の照射エネルギＥおよびグリッドスキャナのステップ幅ΔｘおよびΔｙに依存する較正係数Ｋ、すなわち、Ｋ＝Ｋ（Ｅ，Δｘ，Δｙ）によって説明される。イオン化チャンバーの較正は均質に偏向された照射領域における線量測定によって行われ、そのさい基準条件からの相違が補正されかつイオン化チャンバーの表示が水エネルギ線量Ｄｓ ｃ ａ ｎ に変換される。較正係数は、
Ｋ（Ｅ，Δｘ，Δｙ）＝（Ｄｓｃａｎ／Ｍｉ ）・Δｘ・Δｙ／（Ｓ（Ｅ）／ρ）
にしたがって計算され、そのさい、
（Ｓ（Ｅ）／ρ）＝照射エネルギＥでの１ ２ Ｃの質量停止力、そして
Ｍ＝イオン化チャンバーの座標点ｉ当たりの監視ユニット
である。
【００９７】
関連のエネルギ範囲（例えば、８０ＭｅＶ／ｕから４３０ＭｅＶ／ｕ）が複数のステップにおいて測定される。点検される特定のイオン化チャンバーの測定場所がアイソセンタ１０に配置され、そのさいイオン化チャンバーまたは線量測定器は固体ファントム内に配置される。１ ２ Ｃの質量停止力の同一の表が照射プランニングが基礎にされる表として使用される。この方法において、エネルギＥおよびステップ幅Δｘ，Δｙに依存して、１群の較正係数が得られ、各較正係数に関して基準値からの最大許容相違は±３％である。較正係数群から少なくとも３つの値が点検されるべきである。不変性の点検のために、この点検方法は毎日実施されるべきである。
【００９８】
また、線量整合性は、イオン化チャンバーの同一の予め選択された監視ユニットが常に同一の線量表示を導かねばならないので、点検されるべきである。それゆえ、線量の不変性が、イオン化チャンバーの較正係数群の関数として、グリッドスキャナまたはその磁石１３，１４によって発生されるかまたは走査される、立方形状の照射容量の中間点において点検されることが望ましい。このために、基準値を得るために、線量が、アイソセンタ１０がその前面の中心に精密に置かれるように位置決めされるファントムにおいて測定される。そのさい、照射は５ｃｍの長さの縁部を有する照射キューブまたは線量キューブ内で実施され、このキューブの中心は１１．３ｍｍの水同等の深さにおいて測定場所として配置される（線量キューブの発生についての制御データの計算はＣＴを基礎にした照射プランニングによって実施される。そのステップに関してビームが水ファントムに入る場所にアイソセンタ１０を配置するのがより好都合である。さらに、選択された測定深さは種々の試験に関しての測定設備の標準化を可能にする）。この方法において決定された照射線量は基準線量として記憶される。測定された実際の線量値が続いてその基準線量と比較されることができ、そのさい実際の線量と公称の線量（基準線量）との間の最大許容相違は±３％である。そのさい、毎日の不変性点検が行われるべきである。
【００９９】
また、粒子数モニタおよびイオン化チャンバーに影響を及ぼしているパラメータが点検される必要があり、そのさい、とくに、粒子の影響および粒子の流れについて較正係数Ｋの依存関係が点検される。両方の場合において、年に一度の不変性点検が行われるべきである。
【０１００】
粒子の影響についての較正係数の依存関係を点検するために、本質的に較正係数の不変性を点検に際してと実質上同じ方法において実施される。測定がファントムにおいて実施され、このファントムは５×５ｃｍ２ の面積により、各場合に同一のビーム強度を有する１５０ＭｅＶ／ｕ，２５０ＭｅＶ／ｕおよび３５０Ｍｅ／ｕのエネルギで照射される。イオン化チャンバーは照射された表面積の中心に配置される。イオン化チャンバーの監視値は、それぞれ、０．２Ｇｙ，０．５Ｇｙおよび１Ｇｙの線量が測定場所で発生されるように設定される。それらの異なる監視値に関して、実際の線量と公称の線量との間の一致が記録され、そのさい±３％の最大相違が許容されている。その狭い許容誤差の遵守は有効でありかつまた実用可能である。
【０１０１】
粒子の流れについての較正係数の依存関係の点検のために、同様に、使用される手順は、同様に、較正係数の不変性を点検するのに使用される手順と実質上同一である。しかしながら、この場合に、線量は一定に保持されかつビーム強度は各場合に高い、中間および低い値に設定され、その結果公称の基準線量との実際の放射線量の一致が種々の強度に関して点検され得る。この場合に、また、±３％の最大相違が許容可能である。
【０１０２】
イオン化チャンバーおよび粒子数モニタに関して、また、ビーム位置上でのその較正係数の依存関係が点検されねばならない。実質上、較正係数の不変性を点検するのに使用される手順と同一の手順が実施され、そのさい、使用される装置は線量不変性の上述した点検において使用された装置と同一である。測定は５ｃｍの長さの縁部を有するが、２ｃｍおよび６ｃｍの横方向移動を有するグリッドスキャナ１３，１４の照射容量または照射キューブにおいて実施される。そのさいイオン化チャンバーの監視値は１Ｇｙの放射線量が照射容量の中心において発生されるように設定される。イオン化チャンバーの表示の点検において、その側で測定される値は中心で測定された値から３％より多くないだけ異なるべきである。この場合に、また、年に一度の不変性の点検が推奨される。
【０１０３】
この点検部分のさらに他の点検態様はグリッドスキャナ１３，１４の線量分布の点検に関連付けられ、そのさい線量の深さ分布および線量の横方向の分布の両方が点検される。
【０１０４】
線量の深さ分布の均質性は、深さ線量均質性が選択されたエネルギおよびその整合性に決定的に依存するので、選択された照射エネルギおよび使用されたイオン化チャンバーの照射エネルギ値当たりの選択された監視値の関数として点検される。そのために、再び、平行六面体またはキュービック照射容量がグリッドスキャナ磁石１３，１４によりファントムに発生され、そのさい、層（エネルギ）の各座標点に関して、一定の粒子密度、しかも層当たりの異なる粒子密度が均質の線量分布が照射キューブにおいて生じるような方法において使用される。複数の線量測定器（イオン化チャンバー）、例えば、１０個のイオン化チャンバーが水同等深さにおける測定を実施し、そのさいイオン化チャンバーは複数のイオン化チャンバーが相前後して照射されないように位置決めされている。照射キューブの縁部長さは、例えば、２．５ｃｍ，５ｃｍおよび１０ｃｍであり、そのさいイオン化チャンバーの測定は、それぞれ５ｃｍ，１２．５ｃｍおよび２０ｃｍのそれぞれのキューブ形状の照射容量の中心点の深さに関して実施されている。監視値は、それぞれの照射容量の中心において、照射プランニングによって予め定められた放射線量生じるように、照射プランニングから確立される。基準値との実際の測定値の比較により、イオン化チャンバーの表示の変化の程度が点検されることができる。±５％の最大相違が許容され得る。その許容限界の超過に際して、過剰に大きい相違を補正するためにシステム介入すべきである。不変性の点検のために、上述した点検手順が各照射中断の前に実施されるべきである。
【０１０５】
グリッドスキャナの線量の横方向分布が、グリッド走査手順の均質性が使用されるすべての照射エネルギにおいて保証されることを保証するためにエネルギの依存関係において点検される。この場合に、イオン化チャンバー監視値が一定でありかつ各場合に照射エネルギが異なり（例えば、１００ＭｅＶ／ｕ，１５０ＭｅＶ／ｕ，２００ＭｅＶ／ｕ，２５０ＭｅＶ／ｕ，３００ＭｅＶ／ｕおよび３５０ＭｅＶ／ｕ）そしてビーム領域が異なるとき、ビームの方向に対して垂直な放射線量は同時に測定する複数のイオン化チャンバーにより確認される。同時に、線量測定器またはイオン化チャンバーの前方の戸外に確認フィルム上に黒化分布を発生する。グリッドスキャナ１３，１４により、例えば、５ｃｍ，１０ｃｍおよび１８ｃｍの横方向面を有する区域が発生され、そのさい放射線量は各場合において１Ｇｙにすべきである。イオン化チャンバーのおよび照射領域の内部で黒くなっている確認フィルムの補正された表示の標準偏差が点検され、そのさい基準値からの最大許容可能な逸脱は±５％である。基準値からの許容し得ない逸脱は、実際に達成されるように存在する測定条件への適合のために補正される。不変性の点検は各照射の中断の前に行われるべきであり、そのさいこの場合にこの確認フィルムの黒化の監視により確認フィルムの使用は十分である。
【０１０６】
この点検部分のさらに他の点検態様はグリッド走査手順における領域ジオメトリの点検に関連付けられ、そのさい選択された照射エネルギについてグリッドスキャナ１３，１４の特別な照射容量の空間的位置の依存状態が点検されている。このために、キュービックまたは直方体の照射容量がグリッドスキャナ１３，１４によって発生され、そのさい一定の粒子密度が層（エネルギ）の各座標点に関して使用されるが、異なる密度が均質の線量分布が照射キューブにおいて生じるように、層ごとに使用される。それらの条件下で、クサビ形状の固体ファントムが照射され、その後ろに確認フィルムが置かれる。続いて、照射の中心点に対する確認フィルムの黒化の位置がに決定される。
【０１０７】
測定において、照射領域の縁部の長さは、例えば、４ｃｍ，７ｃｍおよび１２ｃｍであり、一方、ビームの方向における照射直方体またはキュービックの範囲は２．５ｃｍ，５ｃｍおよび１０ｃｍである。そのさい、測定は、それぞれ、５ｃｍ，１２，５ｃｍおよび２０ｃｍの照射容量の中心点の各々の水同等深さに関して実施される。線量測定器またはイオン化チャンバーの監視値は、照射プランニングによって予め定められた放射線量が照射容量の中心に発生されるように照射プランニングから決定される。領域限界として、黒化の縁部の減少が安定状態の値の５０％である位置が定義される。末端の領域境界のならびにビームの方向に見られた横方向の領域境界の位置が点検されかつ基準値と比較される。各方向において２ｍｍの逸脱が許容可能であり、他の方法では、システムの補正がシステムを実際に存在している測定条件に適合させるために実施されねばならない。これらの点検手順（方法）が、不変性の点検のために、各照射の中断の前に行われるべきであり、そのさい上述した条件の組み合わせから各場合に３つの条件の選択がここでは十分である。
【０１０８】
最後に、この点検部分のさらに他の点検態様は、照射されるべき患者の各々に関して、そのレベルおよび空間的な寸法によって、印加された放射線量の精度を確認することができるようにシステム全体の確認に関連し、その結果システムの個々の構成要素の正しい協働が保証される。そのさい、均質性媒体の照射と非均質媒体の照射との間で識別される。
【０１０９】
第１の場合に、均質性媒体に関する計算されたおよび測定された線量分布の一致の上述した確認におけるように、均質のファントムが使用されかつ本質的に同一の手順が、この場合に個々の患者の照射プランが基礎として使用されることを除いて、実施される。すべての測定点に関して、計算された放射線量と測定された放射線量との間の差異が確認され、かつ再び、５％のすべての測定点に関する平均の相違および７％の個々の測定点に関する相違が許容し得る。不変性の点検のために、この試験は各照射の中断の前に行われるべきである。
照射すべき非均質の媒体の照射に際しての精度の点検のために、再び、非均質のファントムが使用され、そのさい、この場合に、照射プランニングが、例えば、８ｃｍの半径を有する固体の、水同等の材料から半球上のファントムのみを作成することによって実施される。照射プランニングに関して、ファントムの中心はアイソセンタ１０に置かれそしてファントムの半球体は照射の方向と反対である。ファントムには、例えば、各々３ｃｍの直径を有するディスクの形の、種々の非均質体が挿入され、そのさい、好ましくは、以下の密度を有する７個の異なる材料または非均質体が使用される。
【０１１０】
番号        密度
１    ０．００１（空気）
２    ０．３０（肺）
３    １．０３５（結合水）
４    ０．９２（脂肪）
５    １．０５（筋肉）
６    １．１４（柔らかい骨）
７    １．８４（硬い骨）
【０１１１】
プランニングされたターゲツト照射容量は、０°，＋４５°および−４５°の照射角度を有する照射の３つの方向に関して、各場合に、半球体の平らな面に直接隣接する半球状のファントム内部の２ｃｍの厚さの層であり、その結果照射容量の末端位置は後方の平らな面と一致する。ターゲット照射容量にプランニングされた均質の照射線量は１Ｇｙである。グリッドスキャナを制御するためのそれらの制御データにより、照射は３つの照射方向により実施され、そのさいターゲット照射容量内にかつ各非均質体の後ろに、その表示が監視される線量測定器（すなわち、イオン化チャンバー）が位置決めされている。すべての測定点において確認されたエネルギ線量はターゲット照射容量の内部でしきい値１Ｇｙ±５％を超えるべきでなく、一方ターゲット照射の後ろの５ｃｍが、計算されたかつターゲット照射容量に関連付けられた放射線量からの±１０％の最大の逸脱を許容可能である。加えて、すべての測定点に関して、再び、±５％の測定された照射の平均相違が許容可能であり、そして各個々の測定点に関して±７％の最大相違が許容可能である。不変性を点検するために、この点検手順は各照射の中断の前に行われるべきである。
【図面の簡単な説明】
【図１】  本イオンビーム治療システムにおいて使用される加速器装置の簡単化された概略図である。
【図２】  本イオンビーム治療システムにおいて使用される回転架台を示す斜視図である。
【図１】
0004562921.tif 000002
【図２】
0004562921.tif 000003